(57)【要約】【課題】  放送番組やネットコンテンツ等の種々のコンテンツを見やすくするためのコンテンツ一覧表を有した情報処理装置及び情報処理方法を提供する。【解決手段】  放送番組及びネットコンテンツを受信可能な情報処理装置であって、放送番組とその付加情報を受信する放送番組受信部と、外部ネットワークからネットコンテンツとその付加情報を受信するネットコンテンツ情報受信部と、放送番組の付加情報とネットコンテンツの付加情報とから放送番組とネットコンテンツのコンテンツ一覧表を生成するコンテンツ一覧表生成部を有し、コンテンツ一覧表生成部は、コンテンツに関連するキーワードとコンテンツの閲覧可能時期を含むマトリックス状の一覧表を生成し、一覧表において、コンテンツの閲覧可能時期がスケジュール化されているコンテンツとスケジュール化されていないコンテンツとに区別して表示するように構成する。【選択図】図４
2018061185.tif 000002
【特許請求の範囲】
【請求項１】
放送番組及びネットコンテンツを受信可能な情報処理装置であって、
前記放送番組とその付加情報を受信する放送番組受信部と、
外部ネットワークから前記ネットコンテンツとその付加情報を受信するネットコンテンツ情報受信部と、
前記放送番組の付加情報と前記ネットコンテンツの付加情報とから前記放送番組と前記ネットコンテンツのコンテンツ一覧表を生成するコンテンツ一覧表生成部を有し、
前記コンテンツ一覧表生成部は、コンテンツに関連するキーワードとコンテンツの閲覧可能時期を含むマトリックス状の一覧表を生成し、該一覧表において、前記コンテンツの閲覧可能時期がスケジュール化されているコンテンツとスケジュール化されていないコンテンツとに区別して表示することを特徴とする情報処理装置。
【請求項２】
請求項１に記載の情報処理装置であって、
前記一覧表は横軸が前記キーワードで、縦軸が前記コンテンツの閲覧可能時期であることを特徴とする情報処理装置。
【請求項３】
請求項１に記載の情報処理装置であって、
前記閲覧可能時期がスケジュール化されていないコンテンツは、閲覧可能な期間が限定されるコンテンツと閲覧可能な期間が限定されていないコンテンツに分類されることを特徴とする情報処理装置。
【請求項４】
請求項１に記載の情報処理装置であって、
前記スケジュール化されていないコンテンツの閲覧可能時期は、さらに、将来配信予定に分類されることを特徴とする情報処理装置。
【請求項５】
請求項１に記載の情報処理装置であって、
前記放送番組の付加情報であるＥＰＧを表示するためのデータベースであるＥＰＧデータベースと、
所定のキーワードに対応したコンテンツを前記ＥＰＧデータベースと外部ネットワークから検索する検索部と、を有し、
前記コンテンツ一覧表生成部は、前記検索部で検索したコンテンツに基づき、前記放送番組と前記ネットコンテンツのコンテンツ一覧表を生成することを特徴とする情報処理装置。
【請求項６】
請求項５に記載の情報処理装置であって、
ユーザが過去に視聴したコンテンツ名やそれらのコンテンツに係るキーワード等のデータが記憶されている履歴データベースと、
前記履歴データベースからキーワードを抽出するキーワード抽出部と、を有し、
前記所定のキーワードは、前記キーワード抽出部で抽出したキーワードであることを特徴とする情報処理装置。
【請求項７】
請求項１に記載の情報処理装置であって、
前記一覧表の要素である各コンテンツ表示欄、または、前記一覧表の横軸または縦軸を選択すると、さらに詳細情報の表に遷移することを特徴とする情報処理装置。
【請求項８】
放送番組及びネットコンテンツを受信可能な情報処理装置において前記放送番組と前記ネットコンテンツのコンテンツ一覧表を生成する情報処理方法であって、
前記放送番組の付加情報を取得するステップと、
外部ネットワークから前記ネットコンテンツの付加情報を取得するステップと、
前記放送番組の付加情報と前記ネットコンテンツの付加情報とから、コンテンツに関連するキーワードとコンテンツの閲覧可能時期を含むマトリックス状のコンテンツ一覧表を生成するステップとを有し、
前記コンテンツ一覧表を生成するステップは、前記コンテンツの閲覧可能時期をスケジュール化されているコンテンツとスケジュール化されていないコンテンツとに区別してコンテンツ一覧表を生成することを特徴とする情報処理方法。
【請求項９】
請求項８に記載の情報処理方法であって、
前記コンテンツ一覧表は横軸がキーワードで、縦軸がコンテンツの閲覧可能時期であることを特徴とする情報処理方法。
【請求項１０】
請求項８に記載の情報処理方法であって、
前記閲覧可能時期がスケジュール化されていないコンテンツは、閲覧可能な期間が限定されるコンテンツと閲覧可能な期間が限定されていないコンテンツに分類されることを特徴とする情報処理方法。
【請求項１１】
請求項８に記載の情報処理方法であって、
前記スケジュール化されていないコンテンツの閲覧可能時期は、さらに、将来配信予定に分類されることを特徴とする情報処理方法。
【請求項１２】
請求項８に記載の情報処理方法であって、
前記放送番組の付加情報であるＥＰＧを表示するためのＥＰＧデータベースを予め登録するステップと、
所定のキーワードに対応したコンテンツを前記ＥＰＧデータベースと前記外部ネットワークから検索するステップと、を有し、
前記コンテンツ一覧表を生成するステップは、前記検索するステップで検索したコンテンツに基づき、前記放送番組と前記ネットコンテンツのコンテンツ一覧表を生成することを特徴とする情報処理方法。
【請求項１３】
請求項１２に記載の情報処理方法であって、
ユーザが過去に視聴したコンテンツ名やそれらのコンテンツに係るキーワード等の履歴データベースを予め登録するステップと、
前記履歴データベースからキーワードを抽出するステップと、を有し、
前記所定のキーワードは、前記キーワードを抽出するステップで抽出したキーワードであることを特徴とする情報処理方法。
【請求項１４】
請求項８に記載の情報処理装置であって、
前記コンテンツ一覧表の要素である各コンテンツ表示欄、または、前記コンテンツ一覧表の横軸または縦軸を選択すると、さらに詳細情報の表に遷移することを特徴とする情報処理方法。
【発明の詳細な説明】
【技術分野】
【０００１】
本発明は、放送番組やネットコンテンツ等の種々のコンテンツを閲覧可能な情報処理装置及び情報処理方法に係り、特にコンテンツの一覧表に関する。
【背景技術】
【０００２】
デジタル放送の多チャンネル化をはじめ、ユーザが視聴可能なコンテンツの増加が著しい。特に、ネットコンテンツは、企業が提供するものや個人が制作したもの等、様々なジャンルのコンテンツが複数の投稿サイトにアップロードされている。これらのネットコンテンツをユーザが視聴する際に、ウェブ上に数多くあるネットコンテンツからの所望のコンテンツの選択を容易にするユーザインターフェースが望まれる。
【０００３】
この技術分野の背景技術として、例えば特開２０１２−１７５１４２号公報（特許文献１）がある。特許文献１では、課題として、「従来の情報処理システムにおいては、テレビ番組の視聴率を調査するためには、テレビジョン装置に対して視聴率を調査するための専用の装置を設置する必要があった。」を挙げている。そして、その解決策として、「番組視聴情報を受信する番組視聴情報受信部と、番組視聴情報受信部が受信した各番組視聴情報が１以上の電子番組表に適用された結果の情報であり、各番組視聴情報に対応する番組に関する情報を取得することにより番組を特定する番組特定部と、特定した番組ごとに、各番組に対応する１以上の番組視聴情報を統計処理し、番組視聴統計情報を取得する番組視聴統計情報取得部と、番組視聴統計情報取得部が取得した番組視聴統計情報を出力する番組視聴統計情報出力部とを具備する番組視聴情報処理装置により、専用の装置を設置する必要がなく、広い範囲において視聴率の調査を行うことや、視聴率（数値）以外の情報も取得し、様々な統計処理を行うことができる。」点が開示されている。
【先行技術文献】
【特許文献】
【０００４】
【特許文献１】特開２０１２−１７５１４２号公報
【発明の概要】
【発明が解決しようとする課題】
【０００５】
特許文献１では、放送される番組に関する情報である電子番組表についての記載はあるが、ネット配信のコンテンツ等を含めた種々のコンテンツの一覧表については考慮されていない。
【０００６】
近年、放送ｃｈの数も多くなってきており、これにネットコンテンツの配信元も加えると配信元の数が膨大となる。また、必ずしも、その配信元が供給するコンテンツにユーザの興味があるものがあるとは限らない。特許文献１には、放送番組についてはＥＰＧによってまとまったコンテンツ一覧表の記載はあるが、ネットコンテンツまで含めた見やすいコンテンツ一覧表の記載はない。
【０００７】
本発明の目的は、放送番組やネットコンテンツ等の種々のコンテンツを見やすくするためのコンテンツ一覧表を有した情報処理装置及び情報処理方法を提供することにある。
【課題を解決するための手段】
【０００８】
上記課題を解決するために、本発明は、その一例を挙げるならば、放送番組及びネットコンテンツを受信可能な情報処理装置であって、放送番組とその付加情報を受信する放送番組受信部と、外部ネットワークからネットコンテンツとその付加情報を受信するネットコンテンツ情報受信部と、放送番組の付加情報とネットコンテンツの付加情報とから放送番組とネットコンテンツのコンテンツ一覧表を生成するコンテンツ一覧表生成部を有し、コンテンツ一覧表生成部は、コンテンツに関連するキーワードとコンテンツの閲覧可能時期を含むマトリックス状の一覧表を生成し、一覧表において、コンテンツの閲覧可能時期がスケジュール化されているコンテンツとスケジュール化されていないコンテンツとに区別して表示するように構成する。
【発明の効果】
【０００９】
本発明によれば、ユーザの嗜好に合った放送番組やネットコンテンツをまとめたコンテンツ一覧表を提供することが出来る。
【図面の簡単な説明】
【００１０】
【図１】実施例１における情報処理システムの概念図である。
【図２】実施例１における配信サーバの構成例を示すブロック図である。
【図３】実施例１におけるテレビ受信装置の構成例を示すブロック図である。
【図４】実施例１におけるマルチメディアスケジュール表の一例である。
【図５】実施例１におけるマルチメディアスケジュール表のコンテンツ閲覧可能時期の変形例を示した図である。
【図６】実施例１におけるマルチメディアスケジュール表の将来配信予定のコンテンツ欄を加えた例を示した図である。
【図７】実施例１におけるマルチメディアスケジュール表の作成表示フローチャートである。
【図８】実施例１におけるマルチメディアスケジュール表の作成表示を実行する機能ブロック図である。
【図９】実施例１におけるマルチメディアスケジュール表のコンテンツ表示欄を選択した場合に遷移するコンテンツ一覧表を説明する図である。
【図１０】実施例１におけるマルチメディアスケジュール表のキーワードを選択した場合に遷移する一覧表を説明する図である。
【図１１】実施例１におけるマルチメディアスケジュール表の視聴可能時期欄を選択した場合に遷移する一覧表を説明する図である。
【図１２】図１１における遷移する一覧表のタイムテーブル形式表示の例である。
【図１３】実施例１におけるマルチメディアスケジュール表の時期を選択した場合に遷移する一覧表を説明する図である。
【図１４】実施例１におけるマルチメディアスケジュール表の期間限定を選択した場合に遷移する一覧表を説明する図である。
【図１５】図６におけるマルチメディアスケジュール表の将来配信予定のコンテンツ表示欄を選択した場合に遷移する一覧表を説明する図である。
【図１６】実施例１におけるマルチメディアスケジュール表の書き替え手順を示すフローチャートである。
【図１７】実施例２におけるキーワードの追加入力を説明する図である。
【図１８】実施例２におけるキーワードのユーザ入力による変更手順を示すフローチャートである。
【発明を実施するための形態】
【００１１】
以下、本発明の実施例について図面を参照しつつ詳細に説明する。
【実施例１】
【００１２】
図１は、本実施例における情報処理システムの概念図である。図１において、情報処理システムは、テレビ受信装置１、放送局２、配信サーバ３、ルータ４、外部ネットワーク５を備えて構成される。
【００１３】
テレビ受信装置１は、無線ＬＡＮ（Local Area Network）あるいは有線ＬＡＮでルータ４と接続されており、ルータ４から外部ネットワーク５を介して配信サーバ３と情報の送受信を行うことができる。また、テレビ受信装置１は放送局２から送信されたデジタル放送を受信して視聴することができる。
【００１４】
図２は、本実施例における配信サーバ３の構成例を示すブロック図である。図２において、配信サーバ３は、制御部３０１、メモリ３０２、通信部３０３、ストレージ３０４を備え、それぞれはバス３００で相互に接続されている。制御部３０１はＣＰＵ（Central Processing Unit）等で構成され、メモリ３０２に記憶したプログラムを実行することによって各構成部を制御し、各種の処理を行う。通信部３０３は外部ネットワーク５と接続するためのインターフェースであり、外部ネットワーク５からルータ４を介して、ネットワーク接続に対応したテレビ受信装置１と情報を送受信する。ストレージ３０４は、配信サーバ３に接続する各ユーザを認証するアカウントやパスワード等のユーザ情報を記憶するユーザ情報領域３０４ａと、コンテンツ表示情報を記憶するコンテンツ表示情報領域３０４ｂを有している。
【００１５】
図３は、本実施例におけるテレビ受信装置１の構成例を示すブロック図である。テレビ受信装置１は、制御部１０１、メモリ１０３、ストレージ１０４、操作キー１０６、リモコン受光部１０７、通信制御部１０９、チューナー部１１２、復調部１１３、分離部１１４、選局部１１５、ビデオデコード部１１６、ＥＰＧ(Electronic Program Guide：電子番組表)／ＯＳＤ(On−Screen Display)処理部１１７、映像処理部１１８、表示制御部１２０、表示部１２１、オーディオデコード部１２２、音声処理部１２３、スピーカ１２４、カメラ１２５、マイク１２６、外部入力部１２７、を有して構成されている。システムバス１１０は、制御部１０１とテレビ受信装置１内の各部との間でデータ送受信を行うためのデータ通信路である。また、テレビ受信装置１には、アンテナ１１１、及び外部機器１４０が接続されており、操作キー１０６あるいはリモートコントローラ１５０による操作が可能である。
【００１６】
以下、各部の構成を説明する。  
制御部１０１は、ＣＰＵ等で構成され、メモリ１０３に記憶されたオペレーティングシステムや各種のアプリケーションプログラムなどに従ってテレビ受信装置１の全体を制御する。
【００１７】
ストレージ１０４は、各種情報の記憶領域を有する。番組録画記憶領域１０４ａは、放送番組の録画及び放送番組録画に関連する情報（予約情報等）を記憶する。コンテンツ表示情報記憶領域１０４ｂには、コンテンツを表示するための各種情報を記憶する。ＥＰＧデータベース領域１０４ｃには、ＥＰＧを表示するためのデータベースが記憶されている。また、履歴データベース領域１０４ｄには、ユーザが過去に視聴した放送番組やネットコンテンツのコンテンツ名やそれらのコンテンツに係るキーワード等のデータが記憶されている。
【００１８】
操作キー１０６は、ユーザがキーを押下げたことを検知し、検知したキーに基づいて制御部１０１はチャンネルの切り替えや音量の変更などを指示する。リモコン受光部１０７は、リモートコントローラ１５０から発せられるリモコン信号（赤外線信号）を受け付ける。リモコン受光部１０７において受け付けられたリモコン信号に基づいて、制御部１０１は、選局部１１５におけるチャンネルの選局、描画するＯＳＤの変更などを指示する。
【００１９】
通信制御部１０９は、有線ＬＡＮまたは無線ＬＡＮによりルータ４と接続し、インターネット等の外部ネットワーク５を介して情報、あるいは音声や画像信号等の送受信を行う。言い換えれば、通信制御部１０９は、外部ネットワークからネットコンテンツと、その付加情報を取得するネットコンテンツ情報受信部である。
【００２０】
その他、以下のテレビ受信機能を有する。すなわち、チューナー部１１２は、アンテナ１１１において受信した放送信号から、選局部１１５にて選択されたチャンネルに重畳された信号を抽出し、抽出した信号を復調部１１３に供給する。復調部１１３は、チューナー部１１２にて抽出された信号から、所定の形式（例えば、ＭＰＥＧ２−ＴＳ形式）のストリームデータを生成し、生成したストリームデータを分離部１１４に供給する。
【００２１】
分離部１１４は、復調部１１３から供給されたストリームデータを映像データ、音声データ、及び付加データに分離する。分離部１１４にて分離された映像データ、音声データ、及び付加データは、それぞれ、ビデオデコード部１１６、オーディオデコード部１２２、及び、ＥＰＧ／ＯＳＤ処理部１１７に供給される。
【００２２】
ビデオデコード部１１６は、分離部１１４において分離された映像データをデコードする。ビデオデコード部１１６にて得られた映像信号は、映像処理部１１８に供給される。オーディオデコード部１２２は、分離部１１４において分離された音声データをデコードする。オーディオデコード部１２２にて得られた音声信号は、音声処理部１２３に供給される。
【００２３】
ＥＰＧ／ＯＳＤ処理部１１７は、分離部１１４にて分離された付加データに基づいて、ＯＳＤ表示すべき映像を表す映像信号を生成する。ＯＳＤ表示する映像としては、ＥＰＧや字幕などが挙げられる。ＥＰＧ／ＯＳＤ処理部１１７にて生成された映像信号は、合成部１１９に供給される。なお、ＥＰＧ／ＯＳＤ処理部１１７は、放送番組の付加情報を取得する放送番組情報受信部と言い換えても良い。
【００２４】
映像処理部１１８には、上述したビデオデコード部１１６からの映像信号の他に、外部入力部１２７を介して外部機器１４０（例えば、光ディスク装置）から出力された映像信号が供給される。映像処理部１１８は、制御部１０１からの指令に基づき、これらの映像信号のうちから対象とする映像信号の処理を行う。ここでの処理としては、例えばフレームレート変換などを挙げることができる。映像処理部１１８にて処理された映像信号は、合成部１１９に供給される。合成部１１９は、映像処理部１１８にて処理された映像信号と、ＥＰＧ／ＯＳＤ処理部１１７にて生成された映像信号とを合成し、表示制御部１２０に供給する。表示制御部１２０は、合成された映像信号に基づき、表示部１２１を駆動する。以上、放送番組をチューナー部１１２で受信して映像信号を表示するまでの構成を放送番組受信部と言い換えても良い。
【００２５】
音声処理部１２３には、上述したオーディオデコード部１２２からの音声信号の他に、外部入力部１２７を介して外部機器１４０から出力された音声信号、及び伝言入力の時等に使用されるマイク１２６から出力される音声信号が供給される。音声処理部１２３は、制御部１０１からの指令に基づき、これらの音声信号のうちから対象とする音声信号を増幅し、増幅された音声信号をスピーカ１２４に供給する。
【００２６】
カメラ１２５は、顔認識や留守番動作時にテレビ受信装置１の周囲に居る人物・物体等の撮影と、伝言入力時の画像取り込みに使用され、カメラ１２５から取り込まれた画像は映像処理部１１８に供給される。マイク１２６は、留守番動作時にテレビ受信装置１の周囲に居る人物・物体等からの音声の取り込み、伝言入力時の音声取り込みに使用され、マイク１２６から取り込まれた音声は音声処理部１２３に供給される。
【００２７】
次に、本実施例における、ユーザの嗜好に合った放送番組やネットコンテンツをまとめたコンテンツ一覧表である電子番組表の例について説明する。
【００２８】
本実施例では、放送番組やネットのコンテンツをまとめ、コンテンツ一覧表とした電子番組表をマルチメディアスケジュール表、略してＭＭＳ（Multi Media Schedule）と称する。
ＭＭＳの表を構成するにあたっては、番組チャンネルや配信元で分類するのではなく、ユーザの興味のあるテーマで整理することが望ましい。一方、テーマ分類とした場合は、放送時間が重複したりするコンテンツも出てくる可能性もあるし、コンテンツ量として多くなる可能性もあるので、時間軸に関しては、粗い分類の表を設け、その表から詳細情報の表に遷移する形式にすることで利便性が高まる。さらに、ネット配信コンテンツは、スケジュール化されていないものが通常であるのでスケジュール化されているコンテンツと区別して表に配置する。
【００２９】
図４に、本実施例におけるＭＭＳの一例を示す。図４においては、テレビ放送のＥＰＧと同様の行と列からなるマトリックス形式でテレビ放送のコンテンツとネットコンテンツの一覧を表示する。図４に示すように、表示形式として、横軸にキーワード、縦軸に、スケジュール化されているコンテンツとスケジュール化されていないコンテンツの閲覧可能時期とする。すなわち、横軸は、“猫“、”伊勢志摩”、“東京五輪“等の、ユーザが閲覧したいキーワードとする。また、縦軸は、スケジュール化されているコンテンツとして放送番組、スケジュール化されていないコンテンツとしてネットコンテンツがある。そして、スケジュール化されているコンテンツの閲覧可能時期を細分化して、例えば、現在放送されているコンテンツである”On Air“、現在から１時間以内に閲覧可能であるコンテンツである”Now〜1hr”、同様に、１時間後から１日以内に閲覧可能であるコンテンツである”1hr〜1daｙ”、１日後から７日以内に閲覧可能であるコンテンツである”1day〜7day”等に分類する。なお、“〜1hr”の閲覧可能の定義としては、１時間以内に始まるコンテンツまたは、１時間以内に終わるコンテンツの分類の仕方がある。
【００３０】
また、縦軸のスケジュール化されていないコンテンツの閲覧可能時期において、閲覧可能な期間が限定される“期間限定”と、いつでも閲覧可能である(すなわち閲覧可能な期間が限定されていない)“Any Time”に分類する。
【００３１】
また、一覧表の要素である各コンテンツ表示欄１０には、代表コンテンツの子画面１１、代表コンテンツのタイトルや内容概要１２、閲覧可能なコンテンツの件数１３を記載する。
【００３２】
なお、デフォルトとしてテレビのＥＰＧ画面とし、ユーザの指定により図４に示すＭＭＳの画面に切り替えて表示するようにしても良い。
【００３３】
また、テレビ受信装置１がネットに接続されていない場合は、図４に示すＭＭＳの画面において、スケジュール化されていないコンテンツを表示しないようにしても良い。
図５は、コンテンツの閲覧可能時期の変形例を示した図である。図５において、図４と異なる点は、コンテンツの閲覧可能時期である、”1hr〜1day”、” 1day〜7day”、を、”Now〜1daｙ”、”Now〜7daｙ”として点である。”Now〜1day”は、現在から１日以内に閲覧可能であるコンテンツであり、”Now〜7day” は、現在から７日以内に閲覧可能であるコンテンツであり、この場合は、”Now〜7day”が”Now〜1daｙ”のコンテンツを含み重複するが、ユーザの希望に沿ったコンテンツ一覧を提供できる。
【００３４】
図６は、将来配信される予定のあるコンテンツ欄を加えた例を示した図である。図６において、図４と異なる点は、スケジュール化されていないコンテンツの閲覧可能時期において、“将来配信予定”欄を設けた点である。
【００３５】
図７に、図４に示すＭＭＳの画面を作成表示するフローチャートを示す。図７において、まずステップＳ７０１でＭＭＳの画面作成のトリガーであるボタンを押すと、ステップＳ７０２で視聴履歴が有るかをストレージ１０４の履歴データベース領域１０４ｄに記憶されている情報を参照して判定する。履歴データベース領域１０４ｄには例えば１カ月分の履歴情報が記憶されている。そして、視聴履歴が有る場合は、ステップＳ７０３にて履歴からカテゴリのキーワードを抽出する。視聴履歴がない場合は、ステップＳ７０４にてデフォルトで設定されているキーワードを設定する。例えば、“スポーツ”や“ドラマ”等である。その後、ステップＳ７０５にて、抽出したキーワードをもとに放送波のＥＰＧから放送番組を検索し、ステップＳ７０６にて、ネットワークから検索し、それらの検索結果から、スタップＳ７０７にてＭＭＳを作成し表示する。
【００３６】
なお、ステップＳ７０３で抽出したキーワードを集計して多い順に表示する。また、ステップＳ７０６では、検索エンジンでネット動画に絞って検索する。
【００３７】
また、図７を実行する機能ブロック図を図８に示す。図８において、図３のブロック図との関連付けは、８０１のユーザ入力部は、リモートコントローラ１５０とリモコン受光部１０７。８０３のＥＰＧデータベースはストレージ１０４に有るＥＰＧデータベース領域１０４ｃに対応する。また、８０５の履歴データベースは、ストレージ１０４に有る履歴データベース領域１０４ｄに対応する。また、検索部８０２、ＭＭＳ生成部８０４、キーワード抽出部８０６は、制御部１０１で実行する。
【００３８】
次に、図４に示したＭＭＳの一覧表から所定の欄を選択することで選択条件に応じた詳細情報の表に遷移する例について説明する。
【００３９】
図９は、コンテンツ表示欄を選択した場合に遷移する選択条件に応じたコンテンツ一覧表を説明する図である。図９において、（Ａ）は図４に示したＭＭＳの一覧表であり、図９（Ａ）において、ＭＭＳのコンテンツ表示欄１０（太枠）をリモコンのカーソルなどで選択した場合は、（Ｂ）に示すように、別の表示欄が展開して、選んだ内容に相当する新しいコンテンツ一覧を表示する。その際に縦軸の項番はアクセス数や人気順位などとしても良い。そして各項番ごとに選択したキーワード“猫”のコンテンツ欄２０に、子画面２１、コンテンツのタイトルや内容概要２２が表示される。更にコンテンツ欄２０を選択した場合は、動画が再生しても良い。
【００４０】
図１０は、図４に示したＭＭＳの横軸であるキーワードを選択した場合に遷移する選択条件に応じた一覧表を説明する図である。図１０において、（Ａ）は図４に示したＭＭＳの一覧表であり、図１０（Ａ）において、横軸であるキーワードを選択した場合、（Ｂ）に示すように、キーワードに関するサービス毎の一覧を表示する。例えば、テレビ放送のチャンネルや、ネット動画のサービス毎に分けて表示する。図１０（Ｂ）においては、ネットコンテンツオリジンの物が右側に分類されている。なお、テレビ局のネットサービスであるオンデマンド等は、Unscheduled  Contentsに属するものとする。
【００４１】
なお、図１０（Ｂ）において、コンテンツ表示欄（太枠）を選択した場合は、図９と同様に、図１０（Ｃ）に示すように、別の表示欄が展開して、選んだ内容に相当する新しいコンテンツ一覧を表示する。更にコンテンツ欄を選択した場合は、動画が再生しても良い。
【００４２】
図１１は、図４に示したＭＭＳの縦軸である視聴可能時期欄を選択した場合に遷移する選択条件に応じた一覧表を説明する図である。図１１において、（Ａ）は図４に示したＭＭＳの一覧表であり、図１１（Ａ）において、縦軸である視聴可能時期欄を選択した場合、（Ｂ）に示すように、選択した視聴可能時期が細分化される。例えば、”1hr〜1day”が”1hr〜3hr”，”3hr〜6hr”等の、３時間ごとに細分化される。これにより、例えば視聴可能時間が1hr〜1day で視聴できるコンテンツを更に細分化して探すことが出来る。
【００４３】
なお、図１１（Ｂ）に示した視聴可能時期が細分化された一覧表は、各視聴可能時期におけるコンテンツの数が少ない場合は、図１２に示すように、タイムテーブル形式で表示しても良い。すなわち、図１２において、（Ａ）に示すように、各キーワード毎に1件しかない場合は、複数キーワードを横軸、縦軸に時刻として、各コンテンツの対応時間に対応して表示する。また、図１２（Ｂ）に示すように、１キーワードに複数のコンテンツつがある場合は、キーワード毎にタイムテーブル形式で表示しても良い。
【００４４】
図１３は、図４に示したＭＭＳの縦軸の時期を選択した場合に遷移する選択条件に応じた一覧表を説明する図である。図１３において、（Ａ）は図４に示したＭＭＳの一覧表であり、縦軸の視聴可能時期の分類がデフォルト状態であって、縦軸の“時期”を選択した場合、プルダウンメニューで、“設定モード”、“範囲を広げる”、“範囲を狭める”を選択できるようにする。そして、“設定モード”を選択すると、さらにプルダウンメニューで、閲覧時期の範囲を選択できる。図中では”On Air〜2week”を選択すると、図１３（Ｂ）に示すように、選択した閲覧時期の範囲を分割して一覧表が表示される。また、“範囲を広げる” 、または、“範囲を狭める”を選択すると、所定単位で閲覧時期の範囲を広げるまたは狭めることができる。このように、“時期“を選択することで、スケジュールされたコンテンツの閲覧時期の範囲を変化させることができる。
【００４５】
図１４は、図４に示したＭＭＳの縦軸の期間限定を選択した場合に遷移する選択条件に応じた一覧表を説明する図である。図１４において、（Ａ）は図４に示したＭＭＳの一覧表であり、図１４（Ａ）において、縦軸の期間限定を選択した場合、（Ｂ）に示すように、各限定期間における閲覧時期が具体的に分類表示されサービス毎の一覧を表示する。こうすることにより、各限定期間で視聴できるコンテンツを探すことが出来る。なお、図１４（Ｂ）において、コンテンツ表示欄（太枠）を選択した場合は、図９と同様に、図１４（Ｃ）に示すように、更にアクセス数や人気順位などにより分類された別の表示欄が展開して、選んだ内容に相当する新しいコンテンツ一覧を表示する。更にコンテンツ欄を選択した場合は、動画が再生しても良い。
【００４６】
図１５は、図６に示したＭＭＳの将来配信予定のコンテンツ表示欄を選択した場合に遷移する選択条件に応じた一覧表を説明する図である。図１５において、（Ａ）は図６に示したＭＭＳの一覧表であり、図１５（Ａ）において、将来配信予定のコンテンツ表示欄（太枠）を選択した場合、（Ｂ）に示すように、選択したキーワードに関するサービス毎の一覧を表示する。例えば、関連サイトのリンク先を表示して、配信開始日を明記しても良い。また、選択した際に、配信されたらダウンロード出来るようにしても良い。
【００４７】
次に、ＭＭＳの一覧表から所定の欄を選択することで選択条件に応じた詳細情報にＭＭＳの書き替えを行う際のＭＭＳの書き替え手順について説明する。
【００４８】
図１６は、ＭＭＳの書き替え手順を示すフローチャートである。図１６において、ステップＳ１６１で選択した欄をクリックし、ステップＳ１６２でクリックした欄を判別し、ステップＳ１６３で判別した欄に対応した選択条件に応じてＭＭＳを書き替え、ステップＳ１６３で書き替えたＭＭＳを表示する。
【００４９】
なお、本実施例では、横軸にキーワード、縦軸にコンテンツの閲覧可能時期としたが、これに限定されるものでなく、例えば、縦軸と横軸を入れ替えても良い。
【００５０】
以上のように、本実施例は、放送番組及びネットコンテンツを受信可能な情報処理装置であって、放送番組とその付加情報を受信する放送番組受信部と、外部ネットワークからネットコンテンツとその付加情報を受信するネットコンテンツ情報受信部と、放送番組の付加情報とネットコンテンツの付加情報とから放送番組とネットコンテンツのコンテンツ一覧表を生成するコンテンツ一覧表生成部を有し、コンテンツ一覧表生成部は、コンテンツに関連するキーワードとコンテンツの閲覧可能時期を含むマトリックス状の一覧表を生成し、一覧表において、コンテンツの閲覧可能時期がスケジュール化されているコンテンツとスケジュール化されていないコンテンツとに区別して表示するように構成する。
【００５１】
また、放送番組及びネットコンテンツを受信可能な情報処理装置において放送番組とネットコンテンツのコンテンツ一覧表を生成する情報処理方法であって、放送番組の付加情報を取得するステップと、外部ネットワークからネットコンテンツの付加情報を取得するステップと、放送番組の付加情報とネットコンテンツの付加情報とから、コンテンツに関連するキーワードとコンテンツの閲覧可能時期を含むマトリックス状のコンテンツ一覧表を生成するステップとを有し、コンテンツ一覧表を生成するステップは、コンテンツの閲覧可能時期をスケジュール化されているコンテンツとスケジュール化されていないコンテンツとに区別してコンテンツ一覧表を生成する。
【００５２】
以上のように、本実施例によれば、ユーザの嗜好に合った放送番組やネットコンテンツをまとめたコンテンツ一覧表を提供することが出来る。
【実施例２】
【００５３】
本実施例は、ＭＭＳの横軸に用いるキーワードの入力に関して説明する。
【００５４】
図１７は、本実施例におけるキーワードの追加入力を説明する図である。図１７において、（Ａ）は実施例１で説明したＭＭＳの一覧表であり、図１７（Ａ）において、キーワードの欄をダブルクリックした場合、図１７（Ｂ）に示すように、キーワード入力の小窓と決定ボタンが表示される。これにより、キーワードを追加入力できる。キーワードを、例えば“横浜”と入力すると、図１７（Ｃ）に示すように、新しいキーワード「横浜」の番組一覧が左端に追加される。残りは順番にずれて、以前右端にあったものが消える。「伊勢志摩」の欄のダブルクリックでユーザ指定のキーワードを指定すると「猫」の列はそのままで、「伊勢志摩」より右が動くようにしてもよい。
【００５５】
図１８は、本実施例におけるキーワードのユーザ入力による変更手順を示すフローチャートである。図１８において、ステップＳ１８１でユーザによるキーワード変更指示を受けると、ステップＳ１８２でユーザはキーワードを入力し、ステップＳ１８３で、入力したキーワードを放送波のＥＰＧから検索し、さらに、ステップＳ１８４で、入力したキーワードをネットから検索し、それぞれ得られた、キーワードに対応したコンテンツ情報を放送局２や配信サーバ３から入手し、ステップＳ１８５でＭＭＳを作成・表示する。
【００５６】
以上、本発明の実施例について説明したが、本発明は上記した各実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５７】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード等の記録媒体に置くことができる。例えば、上記の実施例では顔認識情報、留守番動作に関する設定情報をストレージ１０４に記憶するようにしたが、メモリ１０３に記憶するようにしてもよい。
【００５８】
また、各処理例で説明したプログラムは、それぞれ独立したプログラムでもよく、複数のプログラムが一つのアプリケーションプログラムを構成していてもよい。また、各処理を行う順番を入れ替えて実行するようにしてもよい。
【００５９】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６０】
１：テレビ受信装置、２：放送局、３：配信サーバ、４：ルータ、５：外部ネットワーク、１０：コンテンツ表示欄、１１、２１：子画面、１２、２２：タイトルや内容概要、１３：コンテンツの件数、２０：コンテンツ欄、１０１…制御部、１０３…メモリ、１０４…ストレージ、１０４ａ…番組録画記憶領域、１０４ｂ：コンテンツ表示情報記憶領域、１０４ｃ：ＥＰＧデータベース領域、１０４ｄ：履歴データベース領域、１１７：ＥＰＧ／ＯＳＤ処理部、１０９…通信制御部、１２１…表示部、８０１：ユーザ入力部、８０２：検索部、８０３：ＥＰＧデータベース、８０４：ＭＭＳ生成部、８０５：履歴データベース、８０６：キーワード抽出部
【図１】
2018061185.tif 000003
【図２】
2018061185.tif 000004
【図３】
2018061185.tif 000005
【図４】
2018061185.tif 000006
【図５】
2018061185.tif 000007
【図６】
2018061185.tif 000008
【図７】
2018061185.tif 000009
【図８】
2018061185.tif 000010
【図９】
2018061185.tif 000011
【図１０】
2018061185.tif 000012
【図１１】
2018061185.tif 000013
【図１２】
2018061185.tif 000014
【図１３】
2018061185.tif 000015
【図１４】
2018061185.tif 000016
【図１５】
2018061185.tif 000017
【図１６】
2018061185.tif 000018
【図１７】
2018061185.tif 000019
【図１８】
2018061185.tif 000020